(57)【要約】【課題】  妨害信号によるＡＧＣ回路の誤動作を防ぐことにより、受信性能の劣化を防ぐことが可能なチューナを提供する。【解決手段】  チューナは、無線信号を受信する受信部１と、受信した無線信号のレベル調整を行なうＲＦ＿ＡＧＣ回路３と、レベル調整された無線信号と局部発振信号とを乗算することによりレベル調整された無線信号をＩＦ信号に周波数変換するミキサ回路５と、ＩＦ信号を復調するＯＦＤＭ復調ＩＣ１４と、ＩＦ信号の周波数成分のうち所定帯域外の成分を減衰させる検波用フィルタ２１と、検波用フィルタ２１を通過したＩＦ信号のレベルを検出する検波回路９とを備え、ＲＦ＿ＡＧＣ回路３は、検波回路９の検出結果に基づいてレベル調整を行なう。【選択図】        図３
2007088880.tif 000002
【特許請求の範囲】
【請求項１】
無線信号を受信する受信部と、
前記受信した無線信号のレベル調整を行なうＡＧＣ回路と、
前記レベル調整された無線信号と局部発振信号とを乗算することにより前記レベル調整された無線信号をＩＦ信号に周波数変換するミキサ回路と、
前記ＩＦ信号を復調する復調回路と、
前記ＩＦ信号の周波数成分のうち所定帯域外の成分を減衰させる検波用フィルタと、
前記検波用フィルタを通過した前記ＩＦ信号のレベルを検出する検波回路とを備え、
前記ＡＧＣ回路は、前記検波回路の検出結果に基づいて前記レベル調整を行なうチューナ。
【請求項２】
前記検波用フィルタは、周波数特性を変更可能である請求項１記載のチューナ。
【請求項３】
前記検波回路は、前記検出結果を外部へ出力する請求項１記載のチューナ。
【請求項４】
前記チューナは、
直列接続された複数個の前記ＡＧＣ回路と、
前記検波回路から受けた前記検出結果を前記各ＡＧＣ回路へ出力し、前記各ＡＧＣ回路のうちの少なくともいずれか一つの前記ＡＧＣ回路へ他の前記ＡＧＣ回路と異なるタイミングで前記検出結果を出力する遅延回路とを備える請求項１記載のチューナ。
【請求項５】
前記遅延回路は、最後段の前記ＡＧＣ回路から前段の前記ＡＧＣ回路に向かって順次前記検出結果を出力する請求項４記載のチューナ。
【発明の詳細な説明】
【技術分野】
【０００１】
本発明は、チューナに関し、特に、ＡＧＣ（Auto Gain Control）回路を備えるチューナに関する。
【背景技術】
【０００２】
地上波デジタル放送の電波を受信するチューナ（以下、地上波デジタルチューナとも称する。）の一例として、特許文献１には以下のようなチューナが開示されている。すなわち、地上波ＡＴＳＣ（Advanced Television Systems Committee）方式の電波を受信するアンテナと、アンテナからのＲＦ（Radio Frequency）信号を受け取るＡＧＣ回路を持つ選局部と、ＩＦ−ＡＧＣ回路と、８−ＶＳＢ（Vestigial Sideband）復調をするＡ／Ｄ（Analog Digital）検波回路と、セグメント同期やフィールド同期の判別を行なう同期検出回路と、入力信号中のマルチパスによる歪みを検出し、歪みを除去する波形等化回路と、キャリアおよびノイズの値を測定して算出するＣ／Ｎ（Carrier to Noise Ratio）測定回路と、畳み込み符号化変調されたデータを復号するトレリス復号回路と、リードソロモン復号回路とから構成される。
【特許文献１】特開２００２−２１８３４１号公報
【発明の開示】
【発明が解決しようとする課題】
【０００３】
ところで、特許文献１記載のチューナにおけるＲＦ信号用のＡＧＣ回路は、強電界の場合に受信信号のレベルを下げる機能を有する。このようなチューナは、一般的に、電波の受信レベルを検出する検波回路を備え、ＡＧＣ回路は検波回路で検出された受信レベルに基づいてゲインを変化させる。ここで、検波回路の入力信号に主信号以外の信号である妨害信号が含まれている場合には、妨害信号のレベルが変動すると主信号のレベルが変動していないにも関わらず検波回路の検出結果が変動するため、ＡＧＣ回路において主信号のレベルに応じたレベル調整が行なわれず、受信性能が劣化してしまう。たとえば、ＡＧＣ回路のゲインを下げすぎると主信号のレベルが低下してＣ／Ｎが劣化し、また、ＡＧＣ回路のゲインを上げすぎると、ＡＧＣ回路およびミキサにおいてクロスモジュレーション（混変調）による歪みが発生し、受信性能が劣化してしまう。
【０００４】
それゆえに、本発明の目的は、妨害信号によるＡＧＣ回路の誤動作を防ぐことにより、受信性能の劣化を防ぐことが可能なチューナを提供することである。
【課題を解決するための手段】
【０００５】
上記課題を解決するために、この発明のある局面に係わるチューナは、無線信号を受信する受信部と、受信した無線信号のレベル調整を行なうＡＧＣ回路と、レベル調整された無線信号と局部発振信号とを乗算することによりレベル調整された無線信号をＩＦ信号に周波数変換するミキサ回路と、ＩＦ信号を復調する復調回路と、ＩＦ信号の周波数成分のうち所定帯域外の成分を減衰させる検波用フィルタと、検波用フィルタを通過したＩＦ信号のレベルを検出する検波回路とを備え、ＡＧＣ回路は、検波回路の検出結果に基づいてレベル調整を行なう。
【０００６】
好ましくは、検波用フィルタは、周波数特性を変更可能である。
好ましくは、検波回路は、検出結果を外部へ出力する。
【０００７】
好ましくは、チューナは、直列接続された複数個のＡＧＣ回路と、検波回路から受けた検出結果を各ＡＧＣ回路へ出力し、各ＡＧＣ回路のうちの少なくともいずれか一つのＡＧＣ回路へ他のＡＧＣ回路と異なるタイミングで検出結果を出力する遅延回路とを備える。
【０００８】
より好ましくは、遅延回路は、最後段のＡＧＣ回路から前段のＡＧＣ回路に向かって順次検出結果を出力する。
【発明の効果】
【０００９】
本発明によれば、妨害信号によるＡＧＣ回路の誤動作を防ぐことにより、受信性能の劣化を防ぐことができる。
【発明を実施するための最良の形態】
【００１０】
以下、本発明の実施の形態について図面を用いて説明する。なお、図中同一または相当部分には同一符号を付してその説明は繰り返さない。
【００１１】
＜第１の実施の形態＞
図１は、本発明の第１の実施の形態に係るチューナの機能ブロック図である。
【００１２】
同図を参照して、このチューナは、入力端子（受信部）１と、単同調フィルタ２と、ＲＦ＿ＡＧＣ回路３と、複同調フィルタ４と、ミキサーオシレーターＰＬＬ＿ＩＣ（Phase-Locked Loop Integrated Circuit）１０と、ＳＡＷ（Surface Acoustic Wave）フィルタ１１と、ＩＦ＿ＡＧＣ回路１２と、ＩＦアンプ１３と、ＯＦＤＭ（Orthogonal  Frequency  Division  Multiplexing）復調ＩＣ（復調回路）１４とを備える。ミキサーオシレーターＰＬＬ＿ＩＣ１０は、ミキサ回路５と、ローカル発振回路６と、ＰＬＬ回路７と、ＩＦアンプ８と、検波回路９と、フィルタ回路１５とを含む。
【００１３】
入力端子１は、図示しないアンテナからＲＦ信号（無線信号）を入力する。
単同調フィルタ２は、入力端子１から入力されたＲＦ信号のうち受信チャネルに対応する周波数を通過中心周波数として動作する、すなわち無線信号の周波数成分のうち所定帯域外の成分を減衰させる。ＲＦ信号は、たとえば４７０ＭＨｚ〜７７０ＭＨｚのＵＨＦ（Ultra High Frequency）信号である。
【００１４】
ＲＦ＿ＡＧＣ回路３は、検波回路９の検出結果に基づいてゲインを変化させる、すなわち単同調フィルタ２を通過したＲＦ信号のレベル調整を行なう。
【００１５】
複同調フィルタ４は、ＲＦ＿ＡＧＣ回路３でレベル調整されたＲＦ信号のうち受信チャネルに対応する周波数を通過中心周波数として動作する、すなわちレベル調整されたＲＦ信号の周波数成分のうち所定帯域外の成分を減衰させる。
【００１６】
ＰＬＬ回路７は、ローカル信号の発振周波数を制御する。ローカル発振回路６は、ＰＬＬ回路７の制御に基づいて発振し、ローカル信号を出力する。
【００１７】
ミキサ回路５は、複同調フィルタ４を通過したＲＦ信号とローカル信号とを乗算することによりＲＦ信号をＩＦ（Intermediate Frequency）信号に周波数変換する。ＩＦ信号は、たとえば日本では５７ＭＨｚである。
【００１８】
フィルタ回路１５は、ＩＦアンプ８および検波回路９へ出力される妨害信号の抑圧を目的とした帯域制限を行なう、すなわちミキサ回路５から受けたＩＦ信号の周波数成分のうち所定帯域外の成分を減衰させる。
【００１９】
ＩＦアンプ８は、フィルタ回路１５を通過したＩＦ信号を増幅する。
検波回路９は、ＩＦアンプ８から受けたＩＦ信号のレベルを検出する。検波回路９は、ＩＦアンプ８の出力信号レベルを所定レベル未満に抑えるようにＲＦ＿ＡＧＣ回路３のゲインを制御するために設けられている。
【００２０】
ＳＡＷフィルタ１１は、ＩＦアンプ８から受けたＩＦ信号の周波数成分のうち所定帯域外の成分を減衰させる。
【００２１】
ＩＦ＿ＡＧＣ回路１２は、ＯＦＤＭ復調ＩＣ１４の制御に基づいて、ＳＡＷフィルタ１１を通過したＩＦ信号のレベル調整を行なう。
【００２２】
ＩＦアンプ１３は、ＩＦ＿ＡＧＣ回路１２から受けたＩＦ信号を増幅する。
ＯＦＤＭ復調ＩＣ１４は、ＩＦアンプ１３から受けたＩＦ信号をＯＦＤＭ復調し、トランスポートストリーム信号（以下、ＴＳ信号とも称する。）として外部へ出力する。ＯＦＤＭ復調ＩＣ１４は、ＩＦアンプ１３から受けるＩＦ信号が所定レベルとなるようにＩＦ＿ＡＧＣ回路１２を制御する。
【００２３】
このチューナでは、ＯＦＤＭ復調ＩＣ１４が受けるＩＦ信号のレベルが、入力端子１から入力されたＲＦ信号のレベルが変化した場合、ＲＦ＿ＡＧＣ回路３およびＩＦ＿ＡＧＣ回路１２でそれぞれレベル調整が行なわれて、たとえば０．５Ｖｐｐになるように制御される。
【００２４】
すなわち、このチューナにおいては、検波回路９によって検波されたＩＦ信号のレベルが所定レベル以上である場合にはＲＦ＿ＡＧＣ回路３でＲＦ信号のレベル調整が行なわれる。一方、検波回路９によって検波されたＩＦ信号のレベルが所定レベル未満である場合にはＩＦ＿ＡＧＣ回路１２でＩＦ信号のレベル調整が行なわれる。
【００２５】
ところで、特許文献１記載のチューナでは、妨害信号のレベルが変動すると主信号のレベルが変動していないにも関わらず検波回路の検出結果が変動するため、ＡＧＣ回路において主信号のレベルに応じたレベル調整が行なわれず、受信性能が劣化してしまうという問題点があった。しかしながら、本発明の第１の実施の形態に係るチューナでは、フィルタ回路１５が、ＩＦアンプ８および検波回路９へ出力される妨害信号を抑圧する。したがって、妨害信号のレベルが変動しても検波回路９の検出結果が変動しないため、ＲＦ＿ＡＧＣ回路３を適切に制御することができ、受信性能の劣化を防ぐことができる。
【００２６】
ここで、地上波デジタル放送では、従来放送されている地上波アナログ放送の受信において障害が生じないように、地上波デジタル放送の送信出力が、地上波アナログ放送の送信出力に対して低いレベルに抑えられる。これにより、地上波デジタル放送では地上波アナログ放送に対してＲＦ帯においてＤ／Ｕ（Desired Undesired）比で−３０ｄＢ以上のレベル差が発生する。したがって、地上波デジタルチューナの性能としてたとえばＤ／Ｕ比が−４０ｄＢ前後の高い隣接チャネル妨害除去性能が要求され、また、たとえばＤ／Ｕ比が−５５ｄＢ前後の高いスプリアス妨害除去性能が要求される。ここで、隣接チャネル信号とは、現在受信しているチャネル（以下、受信チャネルとも称する。）以外のチャネル信号のことである。また、スプリアス信号とは、イメージ信号、およびローカル信号の高調波等の信号のことである。
【００２７】
地上波デジタルチューナへの妨害波の入力レベルがたとえば−２０ｄＢｍ以上の強電界レベルになると、ＲＦ＿ＡＧＣ回路３およびミキサーオシレーターＰＬＬ＿ＩＣ１０でのクロスモジュレーション歪みが大きくなり、受信性能が劣化する。そこで、本発明の第１の実施の形態に係るチューナでは、検波回路９を設けることにより、妨害波のレベルが大きい場合にはＲＦ＿ＡＧＣ回路３のゲインを下げてクロスモジュレーション歪みによる受信性能の劣化を抑制する。しかしながら、逆にＲＦ＿ＡＧＣ回路３のゲインを下げすぎると、ＲＦ＿ＡＧＣ回路３においてＣ／Ｎが劣化してしまい、ＯＦＤＭ復調ＩＣ１４において受信エラーが発生し、受信性能が劣化する。ＲＦ＿ＡＧＣ回路３およびミキサーオシレーターＰＬＬ＿ＩＣ１０でのクロスモジュレーション歪みによる受信性能の劣化と、Ｃ／Ｎ劣化による受信性能の劣化とは反比例の関係にある。
【００２８】
図２（ａ）は、単同調フィルタ２の周波数特性を示すグラフ図である。すなわち、図２（ａ）は、図１のＡにおける信号の周波数特性を示している。
【００２９】
図２（ｂ）は、複同調フィルタ４の周波数特性を示すグラフ図である。
図２（ｃ）は、単同調フィルタ２および複同調フィルタ４の合成周波数特性を示すグラフ図である。すなわち、図２（ｃ）は、図１のＢにおける信号の周波数特性を示している。図２（ａ）〜Ｃにおいて、Ｆ１は受信チャネルの信号の中心周波数（以下、受信周波数とも称する。）であり、Ｆ２はスプリアス信号の周波数（以下、スプリアス妨害周波数とも称する。）である。
【００３０】
図２（ｃ）を参照して、ミキサーオシレーターＰＬＬ＿ＩＣ１０の検波回路９に到達するスプリアス妨害周波数Ｆ２の信号レベルは、単同調フィルタ２および複同調フィルタ４の減衰特性により、受信周波数Ｆ１の信号レベルに対して（Ａ１−Ａ４）分低くなる。
【００３１】
ここで、スプリアス妨害周波数がＦ２の状態において、ＲＦ＿ＡＧＣ回路３のレベル調整が最適点で動作している、すなわち前述のＲＦ＿ＡＧＣ回路３でのＣ／Ｎ劣化およびＲＦ＿ＡＧＣ回路３およびミキサーオシレーターＰＬＬ＿ＩＣ１０でのクロスモジュレーション歪みによるチューナの受信性能の劣化が最小に抑制されていると仮定する。
【００３２】
スプリアス妨害周波数Ｆ２が受信周波数Ｆ１の方向にシフトした場合には、図２（ｃ）に示すように検波回路９に到達するスプリアス妨害周波数Ｆ２の信号レベルはＡ４より大きくなる。そうすると、検波回路９で検出されるＩＦ信号のレベルが大きくなることから、ＲＦ＿ＡＧＣ回路３のゲインが下がるためにレベル調整の最適点から外れてしまい、Ｃ／Ｎ劣化によって受信性能が大きく劣化する。
【００３３】
一方、スプリアス妨害周波数Ｆ２がより受信周波数Ｆ１とは逆方向にシフトした場合には、図２（ｃ）に示すように検波回路９に到達するレベルはＡ４より小さくなる。そうすると、検波回路９で検出されるレベルが小さくなることから、ＲＦ＿ＡＧＣ回路３のゲインが上がるためにレベル調整の最適点から外れてしまい、クロスモジュレーション歪みによって受信性能が大きく劣化する。
【００３４】
したがって、スプリアス妨害周波数が変化するとスプリアス妨害信号が検波回路９に到達するレベルがばらつくため、レベル調整の最適点でＲＦ＿ＡＧＣ回路３が安定して動作せず、受信性能が劣化してしまう。
【００３５】
また、このチューナでは、単同調フィルタ２および複同調フィルタ４を始めとする各回路の製造ばらつきにより、チューナごとに単同調フィルタ２および複同調フィルタ４の調整内容が異なってくるため、単同調フィルタ２および複同調フィルタ４の周波数特性はチューナごとにばらつく場合が多い。
【００３６】
ここで、本発明の第１の実施の形態に係るチューナでは、ミキサ回路５の後段に、ＩＦアンプ８および検波回路９へ出力される妨害信号の抑圧を目的とした帯域制限を行なうフィルタ回路１５を設けているが、スプリアス信号の影響を低減するため、および単同調フィルタ２および複同調フィルタ４の周波数特性のばらつきに対応するためにフィルタ回路１５を急峻な周波数特性を有するように設計すると、主信号であるＩＦ信号を減衰させすぎてしまい、フィルタ回路１５のばらつきおよび温度ドリフトにより受信性能が劣化してしまう。
【００３７】
以上より、本発明の第１の実施の形態に係るチューナでは、妨害波の周波数が変動するとＡＧＣ回路がレベル調整の最適点で安定して動作せず、受信性能が劣化してしまうという問題点がある。
【００３８】
次に、本発明の他の実施の形態について図面を用いて説明する。なお、図中同一または相当部分には同一符号を付してその説明は繰り返さない。
【００３９】
＜第２の実施の形態＞
本実施の形態は、第１の実施の形態に対してフィルタ回路の位置を変更したチューナに関する。以下で説明する内容以外の構成および動作は第１の実施の形態に係るチューナと同様である。
【００４０】
図３は、本発明の第２の実施の形態に係るチューナの機能ブロック図である。
同図を参照して、このチューナは、第１の実施の形態に係るチューナに対して、フィルタ回路１５の代わりに検波用フィルタ２１を備える。
【００４１】
ＩＦアンプ８は、ミキサ回路５から受けたＩＦ信号を増幅する。
検波用フィルタ２１は、ＩＦアンプ８から受けたＩＦ信号の周波数成分のうち所定帯域外の成分を減衰させる。
【００４２】
検波回路９は、検波用フィルタ２１から受けたＩＦ信号のレベルを検出する。
ところで、本発明の第１の実施の形態に係るチューナでは、妨害波の周波数が変動するとＡＧＣ回路がレベル調整の最適点で安定して動作せず、受信性能が劣化してしまうという問題点がある。しかしながら、本発明の第２の実施の形態に係るチューナでは、検波用フィルタ２１を主信号ライン上に設けていないため、検波用フィルタ２１の周波数特性を急峻に設計することによりＩＦ信号が減衰しても受信性能が劣化することはない。また、検波用フィルタ２１のばらつきおよび温度ドリフトが生じても主信号ラインのＩＦ信号は直接影響を受けないため、受信性能が劣化しない。このため、検波用フィルタ２１は、主信号への影響を考慮せずに自由に設計することができる。
【００４３】
したがって、本発明の第２の実施の形態に係るチューナでは、主信号ラインとは別のライン上、かつ検波回路９の前段に検波用フィルタ２１を設けることにより、検波回路９へ出力される妨害信号をさらに抑圧することができるため、妨害波の周波数変動に関わらずＡＧＣ回路をレベル調整の最適点で動作させることができ、第１の実施の形態にかかるチューナに対して受信性能の劣化をさらに防ぐことができる。
【００４４】
次に、本発明の他の実施の形態について図面を用いて説明する。なお、図中同一または相当部分には同一符号を付してその説明は繰り返さない。
【００４５】
＜第３の実施の形態＞
本実施の形態は、第２の実施の形態に対して検波用フィルタの周波数特性を変更可能にしたチューナに関する。以下で説明する内容以外の構成および動作は第２の実施の形態に係るチューナと同様である。
【００４６】
図４は、本発明の第３の実施の形態に係るチューナの機能ブロック図である。
同図を参照して、このチューナは、第２の実施の形態に係るチューナに対して、検波用フィルタ２１の代わりに検波用フィルタ２２を備え、かつ、ＳＷ回路４１と、チューナ外部端子４２とをさらに備える。
【００４７】
ＳＷ回路４１は、チューナ外部端子４２からの制御信号に基づいて、検波用フィルタ２１の周波数特性を変更するための制御信号を出力する。
【００４８】
検波用フィルタ２２は、ＳＷ回路４１から受けた制御信号に基づいて帯域幅および遮断周波数などの周波数特性を変更する。
【００４９】
したがって、本発明の第３の実施の形態に係るチューナでは、妨害波のレベル等、チューナの受信状態に応じて検波用フィルタ２２の周波数特性を変更することができるため、検波回路９の検出結果の安定化を図り、良好な受信性能を得ることができる。
【００５０】
次に、本発明の他の実施の形態について図面を用いて説明する。なお、図中同一または相当部分には同一符号を付してその説明は繰り返さない。
【００５１】
＜第４の実施の形態＞
本実施の形態は、第３の実施の形態に対してチューナ外部からＳＷ回路への制御信号の入力方法を変更したチューナに関する。以下で説明する内容以外の構成および動作は第３の実施の形態に係るチューナと同様である。
【００５２】
図５は、本発明の第４の実施の形態に係るチューナの機能ブロック図である。
同図を参照して、このチューナは、第３の実施の形態に係るチューナに対して、チューナ外部端子４２の代わりにチューナ外部端子４３を備える。
【００５３】
チューナ外部端子４３は、ミキサーオシレーターＰＬＬ＿ＩＣ１０がチューナ外部とＩ２Ｃバスを用いて信号を送受信するための端子である。
【００５４】
ＳＷ回路４１は、ミキサーオシレーターＰＬＬ＿ＩＣ１０経由でチューナ外部から受けた制御信号に基づいて、検波用フィルタ２１の周波数特性を変更するための制御信号を出力する。
【００５５】
したがって、本発明の第４の実施の形態に係るチューナでは、妨害波のレベル等、チューナの受信状態に応じて検波用フィルタ２２の周波数特性を変更することができるため、検波回路９の検出結果の安定化を図り、良好な受信性能を得ることができる。また、検波用フィルタ２２に対する制御をＩ２Ｃバス経由で外部から容易に行なうことができる。
【００５６】
次に、本発明の他の実施の形態について図面を用いて説明する。なお、図中同一または相当部分には同一符号を付してその説明は繰り返さない。
【００５７】
＜第５の実施の形態＞
本実施の形態は、第２の実施の形態に対して検波回路の検出結果をチューナ外部へ出力可能としたチューナに関する。以下で説明する内容以外の構成および動作は第２の実施の形態に係るチューナと同様である。
【００５８】
図６は、本発明の第５の実施の形態に係るチューナの機能ブロック図である。
同図を参照して、このチューナは、第２の実施の形態に係るチューナに対して、検波回路９の代わりに検波回路４５を備え、かつ、チューナ外部端子４２をさらに備える。
【００５９】
検波回路４５は、検波用フィルタ２１から受けたＩＦ信号のレベルを検出し、検出結果をＲＦ＿ＡＧＣ回路３、およびチューナ外部端子４２経由でチューナ外部へ出力する。
【００６０】
レベル判定回路４４はチューナ外部に設けられ、チューナ外部端子４２経由で検波回路４５から受けた検出結果に基づいてチューナの受信レベルを判定する。
【００６１】
したがって、本発明の第５の実施の形態に係るチューナでは、チューナの受信レベルをチューナ外部で確認することができ、チューナの受信レベルに基づいてチューナを備える受信装置のアンテナの向きを調節等することができ、良好な受信性能を得ることができる。
【００６２】
次に、本発明の他の実施の形態について図面を用いて説明する。なお、図中同一または相当部分には同一符号を付してその説明は繰り返さない。
【００６３】
＜第６の実施の形態＞
本実施の形態は、第５の実施の形態に対して検波回路の検出結果をチューナ外部へ出力する方法を変更したチューナに関する。以下で説明する内容以外の構成および動作は第５の実施の形態に係るチューナと同様である。
【００６４】
図７は、本発明の第６の実施の形態に係るチューナの機能ブロック図である。
同図を参照して、このチューナは、第５の実施の形態に係るチューナに対して、チューナ外部端子４２の代わりにチューナ外部端子４３を備え、かつ、レベル判定回路４６をさらに備える。
【００６５】
チューナ外部端子４３は、ミキサーオシレーターＰＬＬ＿ＩＣ１０がチューナ外部とＩ２Ｃバスを用いて信号を送受信するための端子である。
【００６６】
レベル判定回路４６は、ミキサーオシレーターＰＬＬ＿ＩＣ１０内に設けられ、検波回路４５から受けた検出結果に基づいてチューナの受信レベルを判定し、判定結果をチューナ外部端子４３経由でチューナ外部へ出力する。また、チューナ外部にはたとえばＩ２Ｃバスの接続されたリードレジスタを設け、このリードレジスタから判定結果を読み出す。
【００６７】
したがって、本発明の第６の実施の形態に係るチューナでは、チューナの受信レベルをチューナ外部で確認することができ、チューナの受信レベルに基づいてチューナを備える受信装置のアンテナの向き等を調節することができ、良好な受信性能を得ることができる。また、判定結果をＩ２Ｃバス経由でチューナ外部へ容易に出力することができる。
【００６８】
なお、検波回路４５がレベル判定回路４６を含み、レベル判定回路４６の判定結果を検出結果としてチューナ外部へ出力する構成とすることも可能である。
【００６９】
次に、本発明の他の実施の形態について図面を用いて説明する。なお、図中同一または相当部分には同一符号を付してその説明は繰り返さない。
【００７０】
＜第７の実施の形態＞
本実施の形態は、第２の実施の形態に対してＲＦ＿ＡＧＣ回路を複数個備えたチューナに関する。以下で説明する内容以外の構成および動作は第２の実施の形態に係るチューナと同様である。
【００７１】
図８は、本発明の第７の実施の形態に係るチューナの機能ブロック図である。図９は、遅延回路４８が行なう遅延制御の内容を示す図である。
【００７２】
同図を参照して、このチューナは、第２の実施の形態に係るチューナに対して、さらに、ＲＦ＿ＡＧＣ回路４７と、遅延回路４８とを備える。
【００７３】
遅延回路４８は、検波回路９の検出結果をＲＦ＿ＡＧＣ回路３へ出力し、その後、ＲＦ＿ＡＧＣ回路４７へ検波回路９の検出結果を出力する。
【００７４】
ＲＦ＿ＡＧＣ回路４７は、遅延回路４８から受けた検出結果に基づいて、入力端子１から入力されたＲＦ信号のレベル調整を行なう。
【００７５】
単同調フィルタ２は、ＲＦ＿ＡＧＣ回路４７でレベル調整されたＲＦ信号の周波数成分のうち所定帯域外の成分を減衰させる。
【００７６】
ＲＦ＿ＡＧＣ回路３は、遅延回路４８から受けた検出結果に基づいて、単同調フィルタ２を通過したＲＦ信号のレベル調整を行なう。
【００７７】
ここで、前述のように本発明の実施の形態に係るチューナにおいては、検波回路９によって検波されたＩＦ信号のレベルが所定レベル以上である場合にはＲＦ＿ＡＧＣ回路３でＲＦ信号のレベル調整が行なわれる。すなわち受信電波が強電界である場合には、ＲＦ＿ＡＧＣ回路のゲインを下げることにより、ＲＦ＿ＡＧＣ回路の出力信号に歪みが発生して受信性能が劣化することを防ぐ。ところが、通常、ＲＦ＿ＡＧＣ回路のゲインを下げるとＮＦが劣化する。そして、後段の回路の出力信号レベルを下げるよりも前段の回路の出力信号レベルを下げる方がＮＦの劣化が大きい。
【００７８】
そこで、本発明の第７の実施の形態に係るチューナでは、受信電波が強電界である場合には、遅延回路４８が、ＲＦ＿ＡＧＣ回路４７より後段のＲＦ＿ＡＧＣ回路３へ先に検出結果を出力することにより、図９に示すように後段のＲＦ＿ＡＧＣ回路３のゲインを前段のＲＦ＿ＡＧＣ回路４７のゲインよりも先に下げる。このように各ＲＦ＿ＡＧＣ回路のゲインを適切に制御することにより、ＲＦ＿ＡＧＣ回路のゲインを下げることによるＮＦの劣化を抑制し、強電界において良好な受信性能を得ることができる。
【００７９】
なお、本発明の第７の実施の形態に係るチューナは、ＲＦ＿ＡＧＣ回路３およびＲＦ＿ＡＧＣ回路４７を備える構成としたが、これに限定するものではなく、主信号ライン上に直列接続された３個以上のＲＦ＿ＡＧＣ回路を備える構成とすることができる。この場合、遅延回路４８は、最後段のＲＦ＿ＡＧＣ回路から前段のＲＦ＿ＡＧＣ回路に向かって順次検出結果を出力する。
【００８０】
また、遅延回路４８の検出結果の遅延制御は前述の内容に限定されるものではなく、チューナの受信状態に応じて各ＲＦ＿ＡＧＣ回路へ検出結果を出力するタイミングをそれぞれ設定することで、良好な受信性能を得ることができる。言い換えれば、遅延回路４８は、各ＡＧＣ回路のうちの少なくともいずれか一つのＡＧＣ回路へ他のＡＧＣ回路と異なるタイミングで検出結果を出力する。また、遅延回路４８は、各ＡＧＣ回路のうちの少なくともいずれか一つへは検出結果を遅延させて出力し、他のＡＧＣ回路へは検出結果を遅延させずにそのまま出力する構成であってもよい。
【００８１】
また、本発明の第１〜第７の実施の形態に係るチューナでは、入力端子１から入力されるＲＦ信号の周波数はＵＨＦ帯かつ１ＢＡＮＤ構成としたが、ＶＨＦ帯およびＣＡＴＶ帯でもよく、また、２ＢＡＮＤおよび３ＢＡＮＤであってもよい。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本発明の第１の実施の形態に係るチューナの機能ブロック図である。
【図２】（ａ）は、単同調フィルタ２の周波数特性を示すグラフ図である。（ｂ）は、複同調フィルタ４の周波数特性を示すグラフ図である。（ｃ）は、単同調フィルタ２および複同調フィルタ４の合成周波数特性を示すグラフ図である。
【図３】本発明の第２の実施の形態に係るチューナの機能ブロック図である。
【図４】本発明の第３の実施の形態に係るチューナの機能ブロック図である。
【図５】本発明の第４の実施の形態に係るチューナの機能ブロック図である。
【図６】本発明の第５の実施の形態に係るチューナの機能ブロック図である。
【図７】本発明の第６の実施の形態に係るチューナの機能ブロック図である。
【図８】本発明の第７の実施の形態に係るチューナの機能ブロック図である。
【図９】遅延回路４８が行なう遅延制御の内容を示す図である。
【符号の説明】
【００８４】
１  入力端子（受信部）、２  単同調フィルタ、３，４７  ＲＦ＿ＡＧＣ回路、４  複同調フィルタ、５  ミキサ回路、６  ローカル発振回路、７  ＰＬＬ回路、８  ＩＦアンプ、９，４５  検波回路、１０  ミキサーオシレーターＰＬＬ＿ＩＣ、１１  ＳＡＷフィルタ、１２  ＩＦ＿ＡＧＣ回路、１３  ＩＦアンプ、１４  ＯＦＤＭ復調ＩＣ（復調回路）、１５  フィルタ回路、２１，２２  検波用フィルタ、４１  ＳＷ回路、４２，４３  チューナ外部端子、４４，４６  レベル判定回路、４８  遅延回路。
【図１】
2007088880.tif 000003
【図２】
2007088880.tif 000004
【図３】
2007088880.tif 000005
【図４】
2007088880.tif 000006
【図５】
2007088880.tif 000007
【図６】
2007088880.tif 000008
【図７】
2007088880.tif 000009
【図８】
2007088880.tif 000010
【図９】
2007088880.tif 000011